(57)【要約】【課題】利便性を向上できる薬液用包装体を提供することを目的とする。【解決手段】上面に開口部１０ａを有して薬液が充填される収容部１０と、開口部１０ａの周縁から外周方向に延びる延設部１３と、延設部１３に固着して開口部１０ａを塞ぐとともに開口部１０ａに厚み方向に所定深さで一部切断した切込線２１を有する蓋部２０と、蓋部２０の切込線２１上に配されるとともに薬液を吸収できる吸収体３０とを備え、蓋部２０又は延設部１３からスティック状に延びた把持部１４と、蓋部２０又は延設部１３に設けられるとともに収容部１０に対して把持部１４の反対側に形成されるフック部１１とを有し、収容部１０を挟んで把持部１４とフック部１１とを近づけた際に蓋部２０の切込線２１が厚み方向に貫通して吸収体に薬液が吸収される。【選択図】図４
2013180057.tif 000002
【特許請求の範囲】
【請求項１】
上面に開口部を有して薬液が充填される収容部と、前記収容部と一体に形成されるとともに前記開口部の周縁から外周方向に延びる延設部と、前記延設部に固着して前記開口部を塞ぐとともに前記開口部上に厚み方向に一部切断した切込線を有する蓋部と、前記蓋部又は前記延設部からスティック状に延びた把持部と、前記蓋部又は前記延設部に設けられるとともに前記収容部に対して前記把持部の反対側に形成されるフック部と、前記蓋部の前記切込線上に配されるとともに薬液を吸収できる吸収体とを備え、前記収容部を挟んで前記把持部と前記フック部とを近づけた際に前記蓋部の前記切込線が厚み方向に貫通して前記吸収体に薬液が吸収されるとともに前記フック部を前記把持部に係止できることを特徴とする薬液用包装体。
【請求項２】
前記延設部が前記蓋部よりも硬質の樹脂で形成され、前記把持部が前記延設部から延びることを特徴とする請求項１に記載の薬液用包装体。
【請求項３】
前記蓋部が前記延設部よりも硬質の樹脂で形成され、前記把持部が前記蓋部から延びることを特徴とする請求項１に記載の薬液用包装体。
【請求項４】
前記蓋部の前記切込線を含む一部に前記吸収体側に突出する突出部を設けたことを特徴とする請求項３記載の薬液用包装体。
【発明の詳細な説明】
【技術分野】
【０００１】
本発明は薬液を包装する薬液用包装体に関する。
【背景技術】
【０００２】
従来の薬液用の包装体が特許文献１に開示される。この包装体は脱脂綿が取り付けられた綿棒と薬液とが分離して収納されている。また、薬液が収納された薬液袋は包装体の蓋部を剥離する際に破れ得るように包装体及び蓋部に接合されている。使用の際、包装体の蓋部を剥離すると、薬液袋が破れて吸収体が収容される収容部へ流出する。吸収体が薬液を吸収した後、薬液が含浸した綿棒を包装体から取り出して患部に薬液を塗布する。これにより、薬液と綿棒とを別々に用意する必要がなく、簡単に薬液を塗布することができる。
【先行技術文献】
【特許文献】
【０００３】
【特許文献１】特開平１０−０８６９７７号公報
【発明の概要】
【発明が解決しようとする課題】
【０００４】
しかしながら、上記従来の薬液用の包装体によると、使用者は収容部を開封する作業と、脱脂綿に薬液を吸収した綿棒を取り出す作業とを行って薬液を塗布する。このため、薬剤の塗布時の作業手順が多くなる。また、薬液を塗布した後に薬液が付着する包装体と綿棒とが薬液に汚染されたゴミとして残り、ゴミを２回廃棄する必要がある。加えて、収容部の開封時に薬液が零れる場合や綿棒に吸収されずに包装体に残る薬液が零れる場合がある。従って、薬液用の包装体の利便性が悪い問題があった。
【０００５】
本発明は上記問題点に鑑み、利便性を向上できる薬液用包装体を提供することを目的とする。
【課題を解決するための手段】
【０００６】
上記目的を達成するために本発明は、薬液用包装体であって、上面に開口部を有して薬液が充填される収容部と、前記収容部と一体に形成されるとともに前記開口部の周縁から外周方向に延びる延設部と、前記延設部に固着して前記開口部を塞ぐとともに前記開口部上に厚み方向に一部切断した切込線を有する蓋部と、前記蓋部又は前記延設部からスティック状に延びた把持部と、前記蓋部又は前記延設部に設けられるとともに前記収容部に対して前記把持部の反対側に形成されるフック部と、前記蓋部の前記切込線上に配されるとともに薬液を吸収できる吸収体とを備え、前記収容部を挟んで前記把持部と前記フック部とを近づけた際に前記蓋部の前記切込線が厚み方向に貫通して前記吸収体に薬液が吸収されるとともに前記フック部を前記把持部に係止できることを特徴としている。
【０００７】
この構成によると、収容部を挟んで把持部とフック部とを例えば使用者の左右の手指で摘持して互いに近づけると、蓋部が切込線を起点に開口する。これにより、収容部内の薬液が開口部から流出して切込線上に配される吸収体に吸収される。使用者はフック部を把持部に係止して把持部を手指で把持し、吸収体により薬液を塗布する。薬液の塗布後、収容部と吸収体とが一体化されたゴミが廃棄される。
【０００８】
また本発明は、上記構成の包装体において、前記延設部が前記蓋部よりも硬質の樹脂で形成され、前記把持部が前記延設部から延びることを特徴としている。この構成によると、延設部の対向する両端を近づけたとき、開口部を覆う蓋部が容易に開口する。
【０００９】
また本発明は、上記構成の包装体において、前記蓋部が前記延設部よりも硬質の樹脂で形成され、前記把持部が前記蓋部から延びることを特徴としている。
【００１０】
また本発明は、上記構成の包装体において、前記蓋部の前記切込線を含む一部に前記吸収体側に突出する突出部を設けたことを特徴としている。この構成によると、延設部の対向する両端を近づけたとき、蓋部を両側方に引っ張る力が突出部に集中して突出部上の切込線から蓋部が容易に開口する。
【発明の効果】
【００１１】
本発明によると、切込線上に吸収体を配した蓋部により塞がれる収容部を挟んで把持部とフック部とを近づけた際に蓋部が貫通して薬液が吸収体に吸収される。これにより、フック部を把持部に係止した状態で把持部を手指で把持して吸収体により薬液を塗布することができる。また、収容部を開封する動作と薬液を塗布する動作とを一体的に連続して行うことができる。また、切込線上に吸収体が配されるため収容部が吸収体により塞がれ、薬液を零さずに包装体を使用することができる。加えて、薬液を塗布した後の包装体を収容部と吸収体とを一体にゴミとして廃棄することができる。従って、使用者の利便性を向上することができる。
【図面の簡単な説明】
【００１２】
【図１】本発明の第１実施形態に係る包装体の上面図
【図２】図１中のＡ−Ａ断面図
【図３】本発明の第１実施形態に係る蓋部の層構成を示す概略断面図
【図４】本発明の第１実施形態に係る包装体の使用状態を示す斜視図
【図５】本発明の第２実施形態に係る包装体の断面図
【発明を実施するための形態】
【００１３】
以下に本発明の第１実施形態を図面を参照して説明する。図１は第１実施形態の薬液用の包装体の上面図であり、図２は図１のＡ−Ａ断面図である。
【００１４】
包装体１は上面に開口部１０ａを有して薬液４０が充填される収容部１０と、開口部１０ａを塞ぐ蓋部２０と、蓋部２０の上部に配され薬液４０を吸収する吸収体３０とで構成される。
【００１５】
薬液４０は吸収体３０に含浸させて塗布するのに適したすべての溶液を用いることができる。例えば、消毒薬、キズ薬、かゆみ止め薬を用いることができる。また、洗浄液や化粧液を用いてもよい。
【００１６】
収容部１０は樹脂により形成され、開口部１０ａの周縁から外周方向に延びる延設部１３が一体に成形される。さらに、延設部１３は収容部１０の対向する位置から両側方に延び、延設部１３の対向する一端にはスティック状に延びた把持部１４が形成され、他端にはフック部１１が形成される。フック部１１は把持部１４に係止することができる。
【００１７】
延設部１３上には樹脂フィルムから成る蓋部２０が熱接着され、蓋部２０によって収容部１０が密封される。これにより、薬液４０が収容部１０に封入される。
【００１８】
収容部１０、延設部１３及び把持部１４は後述する蓋部２０よりも硬質の樹脂により形成されている。収容部１０、延設部１３及び把持部１４は射出成形により一体成型されており、例えば、ポリエチレン、ポリプロピレン、ポリスチレンなどの樹脂を使用することができる。なお、把持部１４は収容部１０及び延設部１３より厚く形成されている。これにより、把持部１４の強度が高まり、把持部１４を強い力で摘持することができる。
【００１９】
また、蓋部２０は開口部１０ａ上に切込線２１が形成される。切込線２１は蓋部２０を厚み方向に一部切断してハーフカット状の切込みとして形成される。切込線２１の両側方が引っ張られると、蓋部２０の切込線２１が厚み方向に貫通して蓋部２０が開口するようになっている。なお、切込線２１はミシン目状に設けてもよいし、連続した切線として形成してもよい。
【００２０】
図３は蓋部２０の断面図を示している。蓋部２０は少なくとも基材層６１と最内層となる熱接着性樹脂層６３とを備えており、基材層６１の裏面には印刷層６４が設けられている。基材層６１と熱接着性樹脂層６３との間には中間層（不図示）を設けてもよい。
【００２１】
基材層６１は包装体１に高い密封性、耐突き刺し（耐ピンホール）性、品質保全性、衛生性等を付与するものである。基材層６１としては、未延伸ナイロン、非晶性ポリエステル（Ａ−ＰＥＴ）、ポリエチレンテレフタレート、ポリエチレンナフタレート等の公知の樹脂を任意に選択することができ、単層または多層にして使用することができる。
【００２２】
中間層（不図示）は、例えば、外部から収納部１０の内部に水蒸気や酸素が浸入することを防止して収容部１０に収納される薬剤４０の劣化を防止することができる。中間層としては、例えば、エチレン−ビニルアルコール共重合体、アルミニウム、ニッケルなどの金属、又は、無機化合物、例えば、酸化珪素、アルミナ等を蒸着したフィルムなどが挙げられる。
【００２３】
熱接着性樹脂層６３は熱によって溶融して対向する延設部１３の表層と融着して熱接着し得るものであればよく、例えば、低密度ポリエチレン、中密度ポリエチレン、高密度ポリエチレン、直鎖状（線状）低密度ポリエチレン、メタロセン触媒（シングルサイト触媒）を使用して重合したエチレン・α−オレフィン共重合体、ポリプロピレン、エチレン・酢酸ビニル共重合体、アイオノマー樹脂、エチレン−アクリル酸エチル共重合体、エチレン−アクリル酸共重合体、エチレン−メタクリル酸共重合体、エチレン−プロピレン共重合体、メチルペンテンポリマー、ポリエチレンまたはポリプロピレン等のポリオレフィン系樹脂をアクリル酸、メタクリル酸、無水マレイン酸、フマール酸等の不飽和カルボン酸で変性した酸変性ポリオレフィン系樹脂等から選ばれた１種ないし２種以上を使用することができる。好ましいものとしては、直鎖状低密度ポリエチレンを挙げることができる。
【００２４】
印刷層６４はインキ材を基材層６１又は中間層に印刷塗布して形成される。これにより、包装体１の外観側から印刷層６４が視認される。印刷層６４に用いられるインキ材はバインダー、着色剤、各種添加剤により構成することができる。着色剤として、有彩色着色顔料または無機系の着色顔料を使用することができる。
【００２５】
蓋部２０の樹脂フィルムとして好ましくは、ポリエチレンテレフタレート／印刷／ポリエチレン／ポリエチレンで構成される積層体、ポリエチレンテレフタレート／ドライラミネート用接着剤／エチレン−ビニルアルコール共重合体／印刷／ポリエチレンで構成される積層体、ポリエチレンテレフタレート／印刷／ポリエチレン／未延伸ポリプロピレンで構成される積層体を使用することができる。
【００２６】
ポリエチレンテレフタレート／印刷／ポリエチレン／ポリエチレンで構成される積層体は一方の面をインキ材で印刷したポリエチレンテレフタレートフィルム（厚さ１２μｍ）の印刷面にポリエチレンを厚さ１５μｍで溶融押出ししてポリエチレンフィルム（厚さ３０μｍ）を貼合して得られる。
【００２７】
また、ポリエチレンテレフタレート／ドライラミネート用接着剤／エチレン−ビニルアルコール共重合体／印刷／ポリエチレンで構成される積層体は一方の面をインキ材で印刷したエチレン−ビニルアルコール共重合体フィルム（厚さ１５μｍ）の印刷がされていない面に、ポリエチレンテレフタレートフィルム（厚さ１２μｍ）をドライラミネート用接着剤を介して貼合し、印刷された面上にポリエチレンを厚さ２５μｍで溶融押出して得られる。
【００２８】
また、ポリエチレンテレフタレート／印刷／ポリエチレン／未延伸ポリプロピレンで構成される積層体は一方の面をインキ材で印刷したポリエチレンテレフタレートフィルム（厚さ１２μｍ）の印刷面にポリエチレンを厚さ１５μｍで溶融押出しして未延伸ポリプロピレンフィルム（厚さ２０μｍ）を貼合して得られる。
【００２９】
なお、蓋部２０に用いられる樹脂フィルムは延設部１３に用いられる樹脂の種類に応じて選択する。蓋部２０にポリエチレンテレフタレート／印刷／ポリエチレン／ポリエチレンで構成される積層体又はポリエチレンテレフタレート／ドライラミネート用接着剤／エチレン−ビニルアルコール共重合体／印刷／ポリエチレンで構成される積層体を用いる場合、収容部１０、延設部１３及び把持部１４にはポリエチレン樹脂を射出成形したものを用いる。これにより、包装体１は耐衝撃性に優れ、輸送中に収容部１０が破断するのを防止することができる。
【００３０】
また、蓋部２０にポリエチレンテレフタレート／印刷／ポリエチレン／未延伸ポリプロピレンを用いる場合、収容部１０、延設部１３及び把持部１４にはポリプロピレン樹脂を射出成形したものを用いる。この組み合わせによると、蓋部２０を構成する未延伸ポリプロピレンとポリプロピレンとがヒートシールにより、高い接着強度で熱接着する。このため、高い気密性を保持しながら薬剤４０を収容部１０の内部に密封することができる。
【００３１】
蓋部２０の切込線２１上には吸収体３０がホットメルト接着剤などの接着剤（不図示）を介して接着される。吸収体３０は薬剤４０を吸収できる材質を有し、開口部１０ａを覆うように配される。また、延設部１３は吸収体３０よりも外側に延びて形成される。
【００３２】
吸収体３０は薬液を吸収し、かつ皮膚等に塗布し得るものであれば、その材料は特に限定されない。例えば、脱脂綿、絹、ウール、レーヨン、ポリエステル、アクリル、ナイロン、ポリオレフィン等を用いることができる。また、これらを２種以上混合したものであってもよい。形状も特に限定されるものではなく、例えば、球形、円筒形、平板形等の適宜の形状とすることができる。また、吸収体３０は、繊維を巻き付けたもの、帯状の不織布をロール状に巻き付けたもの、型抜きされた一体ものや成型品であってもよい。
【００３３】
図４は包装体１の使用状態を示す斜視図である。収容部１０を挟んで把持部１４とフック部１１とを例えば使用者の左右の手指で摘持して互いに近づける。これにより、蓋部２０が両側方に引っ張られ、切込線２１を起点として切込線２１が厚み方向に貫通して蓋部２０が開口し、収容部１０が開封される。蓋部２０の破断によって開口部１０ａから薬液４０が流出し、切込線上２１に配される吸収体３０に吸収される。この時、収容部１０の両側方の延設部１３によって収容部１０が押圧され、薬液４０を容易に流出させることができる。
【００３４】
使用者は図４に示すようにフック部１１を把持部１４に係止して把持部１４を把持した状態で吸収体３０により薬液４０を患部に塗布する。これにより、収容部１０を開封する動作と薬液４０を塗布する動作とを一体的に連続して行うことができる。また、切込線２１上に吸収体３０が配されるため収容部１０が吸収体３０により塞がれ、薬液４０を零さずに包装体１を使用することができる。
【００３５】
また、薬液４０を塗布した後の包装体１が収容部１０と吸収体３０とを一体にゴミとして廃棄される。
【００３６】
本実施形態によると、薬液４０を充填した収容部１０から延びる延設部１３に固着される蓋部２０により収容部１０が塞がれ、蓋部２０に設けた切込線２１上に吸収体３０を配し、収容部１０を挟んで把持部１４とフック部１１とを近づけることによって蓋部２０の切込線２１が厚み方向に貫通して蓋部２０が開口し、薬液４０が吸収体３０に吸収される。これにより、フック部１１を把持部１４に係止した状態で把持部１４を手指で把持して吸収体３０により薬液４０を塗布することができる。これにより、収容部１０を開封する動作と薬液４０を塗布する動作とを一体的に連続して行うことができる。また、切込線２１上に吸収体３０が配されるため収容部１０が吸収体３０により塞がれ、薬液４０を零さずに包装体１を使用することができる。加えて、薬液４０を塗布した後の包装体１を収容部１０と吸収体３０とを一体にゴミとして廃棄することができる。従って、使用者の利便性を向上することができる。
【００３７】
また、蓋部２０がポリエチレンテレフタレートを含む樹脂フィルムにより構成されることにより、収容部１０の密封性が高まる。
【００３８】
[第２実施形態]
図５は第２実施形態に係る包装体１の断面図である。説明の便宜上、前述の図１〜図４に示す第１実施形態と同様の説明には同一の符号を付している。本実施形態の包装材料１は蓋部２０が延設部１３よりも硬質の樹脂により形成され、蓋部２０の対向する一端からスティック状に延びた把持部２４が形成され、他端にはフック部２７が形成される。フック部２７は把持部２４に係止することができる。
【００３９】
また、蓋部２０の切込線２１を含む一部に突出部２３が設けられ、突出部２３は吸収体３０側に突出している。延設部１３の対向する両端を近づけたとき、蓋部２０を両側方に引っ張る力が突出部２３に集中する。これにより、突出部２３上の切込線２１から蓋部２０が容易に開口する。
【００４０】
本実施形態によると、蓋部２０を延設部１３よりも硬質の樹脂で形成して第１実施形態と同様の効果を有する包装体を容易に作製することができる。なお、本実施形態では、蓋部２０及び把持部２４はポリエチレン、ポリプロピレンやポリスチレンなどを射出成形にて一体成形で形成することができる。また、収納部１０及び延設部１３に第１実施形態の蓋部として例示した積層体を使用することができる。
【産業上の利用可能性】
【００４１】
本発明は、例えば、医薬品を包装する包装体に利用可能である。
【符号の説明】
【００４２】
１                包装体
１０              収容部
１０ａ            開口部
１１、２７        フック部
１３              延設部
１４、２４        把持部
２０              蓋部
２１              切込線
２３              突出部
３０              吸収体
６１              基材層
６３              熱接着性樹脂層
６４              印刷層
【図１】
2013180057.tif 000003
【図２】
2013180057.tif 000004
【図３】
2013180057.tif 000005
【図４】
2013180057.tif 000006
【図５】
2013180057.tif 000007